(57)【要約】【課題】新規な構造を有する充電器を提供する。【解決手段】充電器２０は、筐体３００、保持体３１０及びコネクタ４００を備えている。保持体３１０は、電池パック１０を保持可能なものである。コネクタ４００は、電池パック１０に電気的に接続可能なものである。保持体３１０は、筐体３００に対して、取り付け可能かつ取り外し可能になっている。コネクタ４００は、筐体３００に対して、取り付け可能かつ取り外し可能になっている。コネクタ４００は、筐体３００に対して可動に取り付け可能になっている。【選択図】図１
2019134641.tif 000002
【特許請求の範囲】
【請求項１】
筐体と、
電池パックを保持可能な第１保持体と、
を備え、
前記第１保持体は、前記筐体に対して、取り付け可能かつ取り外し可能になっている充電器。
【請求項２】
請求項１に記載の充電器において、
前記第１保持体は、電池パックを案内するための案内路を有する充電器。
【請求項３】
請求項１又は２に記載の充電器において、
前記筐体は、底面と、前記底面の反対側の上面と、前記底面と前記上面の間の第１側面と、を有し、
前記第１保持体は、前記第１側面のうちの第１部分に取り付け可能になっている充電器。
【請求項４】
請求項１又は２に記載の充電器において、
前記筐体は、底面と、前記底面の反対側の上面と、前記底面と前記上面の間の第１側面と、を有し、
前記筐体の前記第１側面は、前記上面から前記底面に向かう方向に延伸する第１溝を有し、
前記第１保持体は、前記第１保持体の少なくとも一部が前記第１側面の前記第１溝に埋め込まれるように前記第１側面に取り付け可能になっている充電器。
【請求項５】
請求項３又は４に記載の充電器において、
前記第１側面は、前記上面から前記底面に向かうにつれて外側に傾いている充電器。
【請求項６】
請求項３に記載の充電器において、
電池パックを保持可能な第２保持体をさらに備え、
前記第２保持体は、前記筐体に対して、取り付け可能かつ取り外し可能になっており、
前記筐体は、前記第１側面の反対側の第２側面を有し、
前記第２保持体は、前記第２側面のうちの第１部分に取り付け可能になっている充電器。
【請求項７】
請求項６に記載の充電器において、
電池パックを保持可能な第３保持体と、電池パックを保持可能な第４保持体と、をさらに備え、
前記第３保持体は、前記筐体に対して、取り付け可能かつ取り外し可能になっており、
前記第４保持体は、前記筐体に対して、取り付け可能かつ取り外し可能になっており、
前記第３保持体は、前記第１側面のうちの第２部分に取り付け可能になっており、
前記第４保持体は、前記第２側面のうちの第２部分に取り付け可能になっており、
前記第１側面のうちの前記第１部分と前記第１側面のうちの前記第２部分は、前記筐体の前記上面から見て前記第１側面に沿った第１方向に沿って並んでおり、
前記第１側面のうちの前記第１部分と前記第２側面のうちの前記第１部分は、前記筐体の前記上面から見て前記第１方向に直交する第２方向に沿って並んでおり、
前記第１側面のうちの前記第２部分と前記第２側面のうちの前記第２部分は、前記筐体の前記上面から見て前記第２方向に沿って並んでいる充電器。
【請求項８】
請求項７に記載の充電器において、
前記筐体の前記上面上に搭載された回路基板を備え、
前記回路基板は、前記第１側面の前記第１部分に取り付けられた電池パックの充電を制御するための回路を有する第１領域と、前記第２側面の前記第１部分に取り付けられた電池パックの充電を制御するための回路を有する第２領域と、前記第１側面の前記第２部分に取り付けられた電池パックの充電を制御するための回路を有する第３領域と、前記第２側面の前記第２部分に取り付けられた電池パックの充電を制御するための回路を有する第４領域と、を含み、
前記回路基板の前記第１領域は、前記第１側面の前記第１部分及び前記第２部分並びに前記第２側面の前記第１部分及び前記第２部分の中で前記第１側面の前記第１部分に最も近くにあり、
前記回路基板の前記第２領域は、前記第１側面の前記第１部分及び前記第２部分並びに前記第２側面の前記第１部分及び前記第２部分の中で前記第２側面の前記第１部分に最も近くにあり、
前記回路基板の前記第３領域は、前記第１側面の前記第１部分及び前記第２部分並びに前記第２側面の前記第１部分及び前記第２部分の中で前記第１側面の前記第２部分に最も近くにあり、
前記回路基板の前記第４領域は、前記第１側面の前記第１部分及び前記第２部分並びに前記第２側面の前記第１部分及び前記第２部分の中で前記第２側面の前記第２部分に最も近くにある充電器。
【請求項９】
請求項１から８までのいずれか一項に記載の充電器において、
電池パックに電気的に接続可能なコネクタをさらに備え、
前記コネクタは、前記筐体に対して、取り付け可能かつ取り外し可能になっている充電器。
【請求項１０】
請求項９に記載の充電器において、
前記コネクタは、前記筐体に可動に取り付け可能になっている充電器。
【請求項１１】
請求項１０に記載の充電器において、
前記コネクタは、電池パックの前記コネクタへの挿入方向に交差する方向に可動になっている充電器。
【請求項１２】
筐体と、
電池パックに電気的に接続可能なコネクタと、
を備え、
前記コネクタは、前記筐体に対して、取り付け可能かつ取り外し可能になっている充電器。
【請求項１３】
請求項１２に記載の充電器において、
前記コネクタは、前記筐体に可動に取り付け可能になっている充電器。
【請求項１４】
請求項１３に記載の充電器において、
前記コネクタは、電池パックの前記コネクタへの挿入方向に交差する方向に可動になっている充電器。
【発明の詳細な説明】
【技術分野】
【０００１】
本発明は、充電器に関する。
【背景技術】
【０００２】
電池を充電するため、充電器が用いられる。近年、例えば特許文献１及び２に記載されているように様々な充電器が開発されている。
【０００３】
特許文献１には、携帯電話機に電力を供給するための充電器が記載されている。充電器は、取り付け可能かつ取り外し可能なコネクタを有している。特許文献１には、携帯電話機のタイプに応じてコネクタを交換することで、様々なタイプの携帯電話機に充電器が対応することができることが記載されている。
【０００４】
特許文献２には、フローティングコネクタを有する充電器が記載されている。特許文献２では、電池ユニットが収容部に収容され、フローティングコネクタは、電池ユニットの収容部への挿入方向に交差する方向に可動になっている。
【０００５】
さらに、特許文献３には、携帯型パーソナルコンピュータ（ＰＣ）に電池パックを取り付けることについて記載されている。
【先行技術文献】
【特許文献】
【０００６】
【特許文献１】実用新案登録第３１２２３９２号公報
【特許文献２】特開２０１３−１４０７１０号公報
【特許文献３】特開２００３−９１３３５号公報
【発明の概要】
【発明が解決しようとする課題】
【０００７】
本発明者は、積層された複数の電池セル（例えば、リチウムイオン二次電池）を有する電池パックを充電するための充電器の構造を検討した。
【０００８】
本発明の目的は、新規な構造を有する充電器を提供することにある。
【課題を解決するための手段】
【０００９】
本発明によれば、
筐体と、
電池パックを保持可能な第１保持体と、
を備え、
前記第１保持体は、前記筐体に対して、取り付け可能かつ取り外し可能になっている充電器が提供される。
【００１０】
本発明によれば、
筐体と、
電池パックに電気的に接続可能なコネクタと、
を備え、
前記コネクタは、前記筐体に対して、取り付け可能かつ取り外し可能になっている充電器が提供される。
【発明の効果】
【００１１】
本発明によれば、新規な構造を有する充電器が提供される。
【図面の簡単な説明】
【００１２】
【図１】実施形態に係る充電器の斜視図である。
【図２】図１に示した充電器の上面図である。
【図３】（ａ）は、図１に示した保持体の斜視図であり、（ｂ）は、（ａ）に示した保持体を（ａ）とは反対側から見た斜視図である。
【図４】図１に示したコネクタの斜視図である。
【図５】可動部の詳細の一例を説明するための図である。
【図６】図１に示した充電器に搭載可能な電池パックの一例の斜視図である。
【図７】図６に示した電池パックを図６の反対側から見た斜視図である。
【図８】図６及び図７に示した電池パックのケースに収容された電池モジュールの斜視図である。
【図９】図１の第１の変形例を説明するための図である。
【図１０】図１の第２の変形例を説明するための図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
図１は、実施形態に係る充電器２０の斜視図である。
【００１５】
図１を用いて、充電器２０の概要を説明する。充電器２０は、筐体３００、保持体３１０及びコネクタ４００を備えている。保持体３１０は、電池パック１０を保持可能なものである。コネクタ４００は、電池パック１０に電気的に接続可能なものである。保持体３１０は、筐体３００に対して、取り付け可能かつ取り外し可能になっている。コネクタ４００は、筐体３００に対して、取り付け可能かつ取り外し可能になっている。
【００１６】
上述した構成によれば、電池パック１０が保持体３１０に適合しなくても、充電器２０全体を交換することなく、保持体３１０の交換のみで電池パック１０の充電が可能となる。電気的に互いに適合しない充電器と電池パックの相互接続を防ぐべく、充電器の保持体は、当該充電器に電気的に適合する電池パックにのみ機械的に適合可能にする場合がある。この場合、仮に、保持体が筐体と一体になっていると、保持体に機械的に適合しない電池パックを充電するためには、充電器全体を別の充電器に交換する必要がある。これに対して、上述した構成においては、保持体３１０は、筐体３００に対して、取り付け可能かつ取り外し可能になっている。したがって、電池パック１０が保持体３１０に適合しなくても、充電器２０全体を交換することなく、保持体３１０の交換のみで電池パック１０の充電が可能となる。
【００１７】
上述した構成によれば、保持体３１０が損傷しても、充電器２０全体を交換することなく、保持体３１０の交換のみで充電器２０を維持することができる。仮に、保持体が筐体と一体になっていると、保持体が損傷したとき充電器全体を別の充電器に交換する必要がある。これに対して、上述した構成においては、保持体３１０は、筐体３００に対して、取り付け可能かつ取り外し可能になっている。したがって、保持体３１０が損傷しても、充電器２０全体を交換することなく、保持体３１０の交換のみで充電器２０を維持することができる。つまり、充電器２０を低コストで維持することができる。
【００１８】
上述した構成によれば、電池パック１０がコネクタ４００に適合しなくても、充電器２０全体を交換することなく、コネクタ４００の交換のみで電池パック１０の充電が可能となる。電気的に互いに適合しない充電器と電池パックの相互接続を防ぐべく、充電器のコネクタは、当該充電器に電気的に適合する電池パックにのみ機械的に適合可能にする場合がある。この場合、仮に、コネクタが筐体と一体になっていると、コネクタに機械的に適合しない電池パックを充電するためには、充電器全体を別の充電器に交換する必要がある。これに対して、上述した構成においては、コネクタ４００は、筐体３００に対して、取り付け可能かつ取り外し可能になっている。したがって、電池パック１０がコネクタ４００に適合しなくても、充電器２０全体を交換することなく、コネクタ４００の交換のみで電池パック１０の充電が可能となる。
【００１９】
上述した構成によれば、コネクタ４００が損傷しても、充電器２０全体を交換することなく、コネクタ４００の交換のみで充電器２０を維持することができる。仮に、コネクタが筐体と一体になっていると、コネクタが損傷したとき充電器全体を別の充電器に交換する必要がある。これに対して、上述した構成においては、コネクタ４００は、筐体３００に対して、取り付け可能かつ取り外し可能になっている。したがって、コネクタ４００が損傷しても、充電器２０全体を交換することなく、コネクタ４００の交換のみで充電器２０を維持することができる。つまり、充電器２０を低コストで維持することができる。
【００２０】
図１を用いて、筐体３００の詳細を説明する。
【００２１】
筐体３００は、底面３０２ａ、上面３０２ｂ、第１側面３０４ａ、第２側面３０４ｂ、第３側面３０４ｃ及び第４側面３０４ｄを有している。上面３０２ｂは、底面３０２ａの反対側にある。第１側面３０４ａは、上面３０２ｂから底面３０２ａに向かうにつれて外側に向けて傾いている。第２側面３０４ｂは、第１側面３０４ａの反対側にあって、上面３０２ｂから底面３０２ａに向かうにつれて外側に傾いている。第３側面３０４ｃは、第１側面３０４ａと第２側面３０４ｂの間にある。第４側面３０４ｄは、第３側面３０４ｃの反対側にある。
【００２２】
保持体３１０は、筐体３００の第１側面３０４ａ又は第２側面３０４ｂに取り付け可能になっている。つまり、電池パック１０は、保持体３１０を介して筐体３００の第１側面３０４ａ又は第２側面３０４ｂに取り付け可能になっている。第１側面３０４ａ及び第２側面３０４ｂの傾斜によって、電池パック１０は、電池パック１０のうちの上側部分が筐体３００の内側に向けて傾いて筐体３００に搭載される。したがって、電池パック１０を筐体３００に安定して搭載することが可能となり、筐体３００からの電池パック１０の離脱のおそれを抑えることができる。
【００２３】
図１に示す例では、第１側面３０４ａ及び第２側面３０４ｂのそれぞれは、溝３０６を有している。溝３０６は、上面３０２ｂから底面３０２ａに向かう方向に延伸している。保持体３１０は、保持体３１０の少なくとも一部が溝３０６に埋め込まれるように第１側面３０４ａ又は第２側面３０４ｂに取り付け可能になっている。つまり、電池パック１０は、電池パック１０の少なくとも一部が溝３０６に埋め込まれるように第１側面３０４ａ又は第２側面３０４ｂに取り付け可能になっている。電池パック１０の少なくとも一部が溝３０６に埋め込まれることで、電池パック１０の安定的な搭載が可能になる。さらに、電池パック１０の少なくとも一部が溝３０６に埋め込まれることで、電池パック１０を筐体３００に搭載したときの電池パック１０の嵩張りを抑えることが可能となる。
【００２４】
図１に示す例では、溝３０６の上端は、筐体３００の上面３０２ｂに交わっており、溝３０６の下端は、筐体３００の底面３０２ａに達していない。したがって、保持体３１０及び電池パック１０は、筐体３００の上面３０２ｂから溝３０６に差し込むことができる。さらに、溝３０６の下端において保持体３１０及び電池パック１０を安定して支持することができる。
【００２５】
筐体３００の上面３０２ｂには、回路基板３２０が搭載されている。図２を用いて詳細を後述するように、回路基板３２０は、筐体３００に取り付けられた電池パックの充電を制御するための回路を有している。
【００２６】
筐体３００の上面３０２ｂには、把手３３０が取り付けられている。充電器２０のユーザは、把手３３０を握って充電器２０を持ち運ぶことができる。図１に示す例では、把手３３０は、回路基板３２０を跨いで設けられている。
【００２７】
コネクタ４００は、筐体３００に対して可動に取り付け可能になっている。つまり、コネクタ４００は、フローティングコネクタとして機能することができる。したがって、コネクタ４００は、コネクタ４００の可動範囲内で電池パック１０に追従することができる。したがって、電池パック１０をコネクタ４００に接続させるための自由度を高くすることができる。
【００２８】
図１に示す例では、コネクタ４００は、可動部４１０を介して筐体３００に取り付け可能になっている。可動部４１０は、筐体３００に対して可動になっている。したがって、コネクタ４００は、可動部４１０を介して、筐体３００に対して可動になる。
【００２９】
コネクタ４００、すなわち、可動部４１０は、電池パック１０のコネクタ４００への挿入方向に交差する、より具体的には直交する方向に可動にしてもよい。図１に示す例では、可動部４１０は、コネクタ４００の幅方向（図１内の方向ｄ１）及び高さ方向（図１内の方向ｄ２）に可動になっている。
【００３０】
図２は、図１に示した充電器２０の上面図である。図２では、説明のため、図１に示した把手３３０を取り除いている。
【００３１】
筐体３００は、複数の溝３０６、すなわち、第１溝３０６ａ、第２溝３０６ｂ、第３溝３０６ｃ及び第４溝３０６ｄを有している。第１溝３０６ａ及び第３溝３０６ｃは、筐体３００の第１側面３０４ａに形成されており、第２溝３０６ｂ及び第４溝３０６ｄは、筐体３００の第２側面３０４ｂに形成されている。筐体３００の上面３０２ｂから見て、第１溝３０６ａ及び第３溝３０６ｃは、第１側面３０４ａに沿った方向（図内の第１方向Ｄ１）に沿って並んでおり、第１溝３０６ａ及び第２溝３０６ｂは、第１方向Ｄ１に直交する方向（図内の第２方向Ｄ２）に沿って並んでおり、第３溝３０６ｃ及び第４溝３０６ｄは、第２方向Ｄ２に沿って並んでいる。
【００３２】
図１に示した保持体３１０は、第１溝３０６ａ（第１側面３０４ａの第１部分）、第２溝３０６ｂ（第２側面３０４ｂの第１部分）、第３溝３０６ｃ（第１側面３０４ａの第２部分）及び第４溝３０６ｄ（第２側面３０４ｂの第２部分）のそれぞれに取り付け可能になっている。
【００３３】
保持体３１０を筐体３００に取り付けるための構造は、図１及び図２に示した溝（溝３０６）に限定されるものではない。他の例において、保持体３１０は、筐体３００内の平坦な側面（例えば、溝３０６が形成されていない第１側面３０４ａ又は第２側面３０４ｂ）上に搭載されていてもよい。
【００３４】
回路基板３２０は、第１領域３２０ａ、第２領域３２０ｂ、第３領域３２０ｃ及び第４領域３２０ｄを有している。第１領域３２０ａは、第１溝３０６ａに取り付けられた電池パックの充電を制御するための回路を有しており、第２領域３２０ｂは、第２溝３０６ｂに取り付けられた電池パックの充電を制御するための回路を有しており、第３領域３２０ｃは、第３溝３０６ｃに取り付けられた電池パックの充電を制御するための回路を有しており、第４領域３２０ｄは、第４溝３０６ｄに取り付けられた電池パックの充電を制御するための回路を有している。つまり、各溝３０６に取り付けられた電池パックを制御するための回路を単一の回路基板（回路基板３２０）が共有している。
【００３５】
回路基板３２０の第１領域３２０ａ、第２領域３２０ｂ、第３領域３２０ｃ及び第４領域３２０ｄは、第１溝３０６ａ、第２溝３０６ｂ、第３溝３０６ｃ及び第４溝３０６ｄの中で第１溝３０６ａ、第２溝３０６ｂ、第３溝３０６ｃ及び第４溝３０６ｄにそれぞれ最も近くにある。したがって、各溝３０６に取り付けられた電池パックと当該電池パックの充電を制御するための回路の間の距離を短くすることができる。
【００３６】
図２に示す例では、回路基板３２０は、回路基板３２０のうちの一端が第１溝３０６ａと第３溝３０６ｃの間に位置し、かつ回路基板３２０のうちの反対側の一端が第２溝３０６ｂと第４溝３０６ｄの間に位置するように第２方向Ｄ２に延伸している。
【００３７】
回路基板３２０のうちの第１領域３２０ａの少なくとも一部及び第３領域３２０ｃの少なくとも一部は、第１溝３０６ａと第３溝３０６ｃの間にあってもよく、図２に示す例では、回路基板３２０のうちの第１領域３２０ａの一部及び第３領域３２０ｃの一部が第１溝３０６ａと第３溝３０６ｃの間にある。つまり、第１溝３０６ａと第３溝３０６ｃの間の凸状の領域が、回路基板３２０の一部分を配置させるための領域として機能している。
【００３８】
回路基板３２０のうちの第２領域３２０ｂの少なくとも一部及び第４領域３２０ｄの少なくとも一部は、第２溝３０６ｂと第４溝３０６ｄの間にあってもよく、図２に示す例では、回路基板３２０のうちの第２領域３２０ｂの一部及び第４領域３２０ｄの一部が第２溝３０６ｂと第４溝３０６ｄの間にある。つまり、第２溝３０６ｂと第４溝３０６ｄの間の凸状の領域が、回路基板３２０の一部分を配置させるための領域として機能している。
【００３９】
図３（ａ）は、図１に示した保持体３１０の斜視図である。図３（ｂ）は、図３（ａ）に示した保持体３１０を図３（ａ）とは反対側から見た斜視図である。
【００４０】
保持体３１０は、底板３１２、第１側壁３１４ａ、第２側壁３１４ｂ及び第３側壁３１４ｃを有している。第１側壁３１４ａは、底板３１２上にある。第２側壁３１４ｂは、底板３１２上において第１側壁３１４ａの反対側にある。第３側壁３１４ｃは、底板３１２上において第１側壁３１４ａと第２側壁３１４ｂの間にある。電池パック１０を入り込ませるための空間が底板３１２、第１側壁３１４ａ、第２側壁３１４ｂ及び第３側壁３１４ｃによって画定されており、この空間は、第３側壁３１４ｃの反対側で外側に向けて開放されている。したがって、第３側壁３１４ｃの反対側から第３側壁３１４ｃに向けて電池パックを通すことが可能となっている。
【００４１】
保持体３１０は、案内路３１６を有している。案内路３１６は、電池パックを案内するためのものである。図３に示す例では、保持体３１０は、複数の案内路３１６、すなわち、第１案内路３１６ａ、第２案内路３１６ｂ、第３案内路３１６ｃ及び第４案内路３１６ｄを有している。第１案内路３１６ａは、第１側壁３１４ａ上にある。第２案内路３１６ｂは、第２側壁３１４ｂ上にある。第３案内路３１６ｃは、第１側壁３１４ａ上にあり、第１案内路３１６ａよりも第３側壁３１４ｃから近くにある。第４案内路３１６ｄは、第２側壁３１４ｂ上にあり、第２案内路３１６ｂよりも第３側壁３１４ｃから近くにある。
【００４２】
保持体３１０は、穴３１８を有している。穴３１８は、第３側壁３１４ｃに形成されている。充電器２０のコネクタ４００（図１）は、穴３１８から露出し、電池パック１０のコネクタ２００（後述する図７）と接続することができる。つまり、コネクタ４００（図１）は、保持体３１０の第３側壁３１４ｃから露出するように設けられている。
【００４３】
図４は、図１に示したコネクタ４００の斜視図である。
【００４４】
コネクタ４００は、ベース４００ａ、第１端子４０２ａ、第２端子４０２ｂ、第３端子４０２ｃ、第１案内部４０４ａ及び第１案内部４０４ａを有している。第１端子４０２ａ、第２端子４０２ｂ、第３端子４０２ｃ、第１案内部４０４ａ及び第１案内部４０４ａは、ベース４００ａから突出している。
【００４５】
第１端子４０２ａは、電源端子及び接地端子のうちの一方であり、第２端子４０２ｂは、電源端子及び接地端子のうちのもう一方であり、第３端子４０２ｃは、センス端子である。図３に示す例では、第１端子４０２ａと第２端子４０２ｂは、第３端子４０２ｃを挟んで互いに離間している。したがって、第１端子４０２ａと第２端子４０２ｂの間の絶縁耐圧を確保することができる。
【００４６】
第１案内部４０４ａと第１案内部４０４ａは、第１端子４０２ａ、第２端子４０２ｂ及び第３端子４０２ｃを挟んで互いに離間している。第１案内部４０４ａは、第１端子４０２ａの隣に位置している。第１案内部４０４ａは、第２端子４０２ｂの隣に位置している。
【００４７】
図５は、可動部４１０の詳細の一例を説明するための図である。
【００４８】
可動部４１０は、第１面４１２、第２面４１４及び穴４１６を有している。第２面４１４は、第１面４１２の反対側にある。穴４１６は、第１面４１２から第２面４１４にかけて可動部４１０を貫通している。
【００４９】
筐体３００は、軸部材３５０を有している。軸部材３５０は、可動部４１０の穴４１６を貫通している。穴４１６の幅は、軸部材３５０の幅より広くなっている。したがって、可動部４１０は、軸部材３５０の幅方向（図５内の方向ｄ１）及び軸方向（図５内の方向ｄ２）に移動可能になっている。このようにして、図１に示したように、可動部４１０は、コネクタ４００の幅方向（図１内の方向ｄ１）及び高さ方向（図１内の方向ｄ２）に可動になる。
【００５０】
軸部材３５０には、固定具５５０が取り付けられている。固定具５５０は、可動部４１０の第２面４１４側から第１面４１２側に向けて軸部材３５０に埋め込まれている。図２に示す例において、固定具５５０は、ネジである。
【００５１】
筐体３００は、ストッパ３５２を有しており、固定具５５０は、ストッパ５５２を有している。軸部材３５０は、ストッパ３５２とストッパ５５２の間に位置している。ストッパ３５２及びストッパ５５２は、可動部４１０における軸部材３５０の軸方向（図５内の方向ｄ２）の可動範囲を制限している。
【００５２】
図６は、図１に示した充電器２０に搭載可能な電池パック１０の一例の斜視図である。図７は、図６に示した電池パック１０を図６の反対側から見た斜視図である。
【００５３】
電池パック１０は、ケース１１０、複数のスライド部１１６及びコネクタ２００を有している。
【００５４】
ケース１１０は、複数の面、すなわち、底面１１２ａ、上面１１２ｂ、第１側面１１４ａ、第２側面１１４ｂ、第３側面１１４ｃ及び第４側面１１４ｄを有している。上面１１２ｂは、底面１１２ａの反対側にある。第１側面１１４ａ、第２側面１１４ｂ、第３側面１１４ｃ及び第４側面１１４ｄは、底面１１２ａと上面１１２ｂの間にある。第２側面１１４ｂは、第１側面１１４ａの反対側にある。第３側面１１４ｃは、第１側面１１４ａと第２側面１１４ｂの間にある。第４側面１１４ｄは、第３側面１１４ｃの反対側にある。
【００５５】
ケース１１０は、底面１１２ａと上面１１２ｂの間に高さ方向を有しており、第１側面１１４ａと第２側面１１４ｂの間に長さ方向を有しており、第３側面１１４ｃと第４側面１１４ｄの間に幅方向を有している。図６及び図７に示す例では、ケース１１０の長さ方向の長さ（第１側面１１４ａと第２側面１１４ｂの間の長さ）は、ケース１１０の幅方向の長さ（第３側面１１４ｃと第４側面１１４ｄの間の長さ）より長くなっている。
【００５６】
ケース１１０は、図８を用いて後述する電池モジュール１２を収容している。図６及び図７に示す例では、ケース１１０は、第１ケース部材１１０ａ及び第２ケース部材１１０ｂを有している。第１ケース部材１１０ａ及び第２ケース部材１１０ｂは、電池モジュール１２（図８）を収容するための空間を画定するように互いに接合している。第１ケース部材１１０ａは、ケース１１０の底面１１２ａを構成し、ケース１１０の第１側面１１４ａ、第２側面１１４ｂ、第３側面１１４ｃ及び第４側面１１４ｄのそれぞれの一部を構成し、電池モジュール１２（図８）の下方を覆っている。第２ケース部材１１０ｂは、ケース１１０の上面１１２ｂを構成し、ケース１１０の第１側面１１４ａ、第２側面１１４ｂ、第３側面１１４ｃ及び第４側面１１４ｄのそれぞれの一部を構成し、電池モジュール１２（図８）の上方を覆っている。
【００５７】
複数のスライド部１１６は、ケース１１０の底面１１２ａ側（第１ケース部材１１０ａ）に配置されており、上面１１２ｂよりも底面１１２ａの近くに配置されている。
【００５８】
複数のスライド部１１６は、第１スライド部１１６ａ、第２スライド部１１６ｂ、第３スライド部１１６ｃ及び第４スライド部１１６ｄを含んでいる。第１スライド部１１６ａ及び第３スライド部１１６ｃは、第３側面１１４ｃに沿って並んでいる。第１スライド部１１６ａの方が第３スライド部１１６ｃよりも第１側面１１４ａの近くにある。図６及び図７に示す例では、第１スライド部１１６ａは、第２側面１１４ｂよりも第１側面１１４ａの近くにあり、第３スライド部１１６ｃは、第１側面１１４ａよりも第２側面１１４ｂの近くにある。第２スライド部１１６ｂ及び第４スライド部１１６ｄは、第４側面１１４ｄに沿って並んでいる。第２スライド部１１６ｂの方が第４スライド部１１６ｄよりも第１側面１１４ａの近くにある。図６及び図７に示す例では、第２スライド部１１６ｂは、第２側面１１４ｂよりも第１側面１１４ａの近くにあり、第４スライド部１１６ｄは、第２側面１１４ｂよりも第１側面１１４ａの近くにある。
【００５９】
ケース１１０の第１スライド部１１６ａ、第２スライド部１１６ｂ、第３スライド部１１６ｃ及び第４スライド部１１６ｄは、ケース１１０の第２側面１１４ｂが保持体３１０の第３側壁３１４ｃ（図３）に対向するように、保持体３１０の第１案内路３１６ａ、第２案内路３１６ｂ、第３案内路３１６ｃ及び第４案内路３１６ｄ（図３）に沿ってそれぞれスライド可能になっている。このようにして、保持体３１０の案内路３１６は、電池パック１０を案内することができる。
【００６０】
ケース１１０の第１スライド部１１６ａ及び第３スライド部１１６ｃは、保持体３１０の第２案内路３１６ｂ又は第４案内路３１６ｄ（図３）に適合しないようにしてもよく、ケース１１０の第２スライド部１１６ｂ及び第４スライド部１１６ｄは、保持体３１０の第１案内路３１６ａ又は第３案内路３１６ｃ（図３）に適合しないようにしてもよい。この場合、電池パック１０が誤った方向に保持体３１０に取り付けられること、すなわち、ケース１１０の第１側面１１４ａが保持体３１０の第３側壁３１４ｃに対向するように電池パック１０が保持体３１０に取り付けられることを防ぐことができる。一例において、第１スライド部１１６ａの形状及び第３スライド部１１６ｃの形状は、それぞれ、第２スライド部１１６ｂの形状及び第４スライド部１１６ｄの形状に対して非対称にしてもよく、第１案内路３１６ａの形状及び第３案内路３１６ｃの形状は、それぞれ、第２案内路３１６ｂの形状及び第４案内路３１６ｄの形状に対して非対称にしてもよい。あるいは、ケース１１０の底面１１２ａから第３スライド部１１６ｃまでの距離と、底面１１２ａから第４スライド部１１６ｄまでの距離とを異ならせてもよい。また、保持体の底板３１２からの第1案内路３１６ｃまでの距離と、底板３１２から第３案内路３１６ｄまでの距離とを異ならせてもよい。
【００６１】
本実施形態においては、ケース１１０のスライド部１１６（図７）は凹部であり、保持体３１０の案内路３１６（図３）はスライド部１１６（凹部）に適合可能な凸部である。他の例において、ケース１１０のスライド部１１６（図７）が凸部であり、保持体３１０の案内路３１６（図３）がスライド部１１６（凸部）に適合可能な凹部であってもよい。
【００６２】
コネクタ２００は、ケース１１０の第２側面１１４ｂ側に配置されている。コネクタ２００は、ケース１１０の底面１１２ａ側（第１ケース部材１１０ａ）に配置されており、上面１１２ｂよりも底面１１２ａの近くに配置されている。
【００６３】
コネクタ２００は、第１端子２０２ａ、第２端子２０２ｂ、第３端子２０２ｃ、第１アジャスタ２０４ａ及び第２アジャスタ２０４ｂを有している。第１端子２０２ａ、第２端子２０２ｂ、第３端子２０２ｃ、第１アジャスタ２０４ａ及び第２アジャスタ２０４ｂは、ケース１１０から露出している。
【００６４】
第１端子２０２ａは、電源端子及び接地端子のうちの一方であり、第２端子２０２ｂは、電源端子及び接地端子のうちのもう一方であり、第３端子２０２ｃは、センス端子である。図７に示す例では、第１端子２０２ａと第２端子２０２ｂは、第３端子２０２ｃを挟んで互いに離間している。したがって、第１端子２０２ａと第２端子２０２ｂの間の絶縁耐圧を確保することができる。
【００６５】
第１アジャスタ２０４ａと第２アジャスタ２０４ｂは、第１端子２０２ａ、第２端子２０２ｂ及び第３端子２０２ｃを挟んで互いに離間している。第１アジャスタ２０４ａは、第１端子２０２ａの隣に位置している。第２アジャスタ２０４ｂは、第２端子２０２ｂの隣に位置している。
【００６６】
コネクタ２００の第１端子２０２ａ、第２端子２０２ｂ及び第３端子２０２ｃは、コネクタ４００の第１端子４０２ａ、第２端子４０２ｂ及び第３端子４０２ｃ（図４）にそれぞれ接続可能になっている。このようにして、電池パック１０は、充電器２０に電気的に接続することができる。
【００６７】
本実施形態においては、コネクタ２００の第１端子２０２ａ、第２端子２０２ｂ及び第３端子２０２ｃ（図７）のそれぞれは凹部であり、コネクタ４００の第１端子４０２ａ、第２端子４０２ｂ及び第３端子４０２ｃ（図４）のそれぞれは、コネクタ２００の第１端子２０２ａ、第２端子２０２ｂ及び第３端子２０２ｃのそれぞれ（凹部）に適合可能な凸部である。他の例において、コネクタ２００の第１端子２０２ａ、第２端子２０２ｂ及び第３端子２０２ｃ（図７）のそれぞれが凸部であり、コネクタ４００の第１端子４０２ａ、第２端子４０２ｂ及び第３端子４０２ｃ（図４）のそれぞれがコネクタ２００の第１端子２０２ａ、第２端子２０２ｂ及び第３端子２０２ｃのそれぞれ（凸部）に適合可能な凹部であってもよい。
【００６８】
コネクタ２００の第１アジャスタ２０４ａ及び第２アジャスタ２０４ｂは、コネクタ４００の第１案内部４０４ａ及び第２案内部４０４ｂ（図４）に沿ってそれぞれスライド可能になっている。このようにして、コネクタ４００の第１案内部４０４ａ及び第２案内部４０４ｂは、コネクタ２００の第１端子２０２ａ、第２端子２０２ｂ及び第３端子２０２ｃがコネクタ４００の第１端子４０２ａ、第２端子４０２ｂ及び第３端子４０２ｃにそれぞれ接続するように、コネクタ２００の第１アジャスタ２０４ａ及び第２アジャスタ２０４ｂをそれぞれ案内可能になっている。
【００６９】
本実施形態においては、コネクタ２００の第１アジャスタ２０４ａ及び第２アジャスタ２０４ｂ（図７）のそれぞれは凹部であり、コネクタ４００の第１案内部４０４ａ及び第２案内部４０４ｂ（図４）のそれぞれは、コネクタ２００の第１アジャスタ２０４ａ及び第２アジャスタ２０４ｂのそれぞれ（凹部）に適合可能な凸部である。他の例において、コネクタ２００の第１アジャスタ２０４ａ及び第２アジャスタ２０４ｂ（図７）のそれぞれが凸部であり、コネクタ４００の第１案内部４０４ａ及び第２案内部４０４ｂ（図４）のそれぞれがコネクタ２００の第１アジャスタ２０４ａ及び第２アジャスタ２０４ｂのそれぞれ（凸部）に適合可能な凹部であってもよい。
【００７０】
図８は、図６及び図７に示した電池パック１０のケース１１０に収容された電池モジュール１２の斜視図である。
【００７１】
電池モジュール１２は、複数の電池セル１００、回路基板１２０、ホルダ１２２、配線１２４及びコネクタ２００を有している。
【００７２】
各電池セル１００は、非水電解液二次電池、例えば、リチウムイオン二次電池であり、正極、負極、セパレータ及び外装材を有している。正極、負極及び負極は、隣り合う正極及び負極がセパレータによって互いに隔てられるように積層されている。外装材は、正極、負極及びセパレータを含む積層体を封止している。
【００７３】
複数の電池セル１００は、ホルダ１２２を介して回路基板１２０上に搭載されている。各電池セル１００は、配線１２４を介して回路基板１２０に電気的に接続されている。図３に示す例において、回路基板１２０は、Ｂａｔｔｅｒｙ  Ｍａｎａｇｅｍｅｎｔ  Ｕｎｉｔ（ＢＭＵ）である。
【００７４】
コネクタ２００は、回路基板１２０に取り付けられている。コネクタ２００は、回路基板１２０及び配線１２４を介して各電池セル１００に電気的に接続している。したがって、各電池セル１００によって発生する電力は、配線１２４及び回路基板１２０を介してコネクタ２００に供給されることができる。
【００７５】
図９は、図１の第１の変形例を説明するための図である。
【００７６】
図９に示す例では、コネクタ４００の少なくとも一部分（第１端子４０２ａ及び第２端子４０２ｂ）が保持体３１０の底板３１２から露出している。図９に示す例では、図６及び図７に示した電池パック１０は、底面１１２ａ上にコネクタ２００を有することになる。この場合、ケース１１０の底面１１２ａが筐体３００の底板３１２に対向するように電池パック１０が保持体３１０に取り付けられたとき、電池パック１０のコネクタ２００と充電器２０のコネクタ４００が接続することができるようになる。
【００７７】
図１０は、図１の第２の変形例を説明するための図である。
【００７８】
図１０に示す例では、コネクタ２００（図１）は、第３側壁３１４ｃ側に位置しており、電池パック１０（図６及び図７）が保持体３１０に取り付けられている場合を除いて、シャッタ３１９によって覆われている。一例において、シャッタ３１９は、電池パック１０が保持体３１０に取り付けられた場合に機械的に開くようになっていてもよい。この例においては、例えば、保持体３１０への電池パック１０の取り付けに機械的に連動する部材によってシャッタ３１９を開かせることができる。他の例において、シャッタ３１９は、電池パック１０が保持体３１０に取り付けられた場合に電気的に開くようになっていてもよい。この例においては、例えば、保持体３１０への電池パック１０の取り付けの検知結果を示す電気信号によってシャッタ３１９を開かせることができる。
【００７９】
以上、図面を参照して本発明の実施形態について述べたが、これらは本発明の例示であり、上記以外の様々な構成を採用することもできる。
【符号の説明】
【００８０】
１０  電池パック
１２  電池モジュール
２０  充電器
１００  電池セル
１１０  ケース
１１０ａ  第１ケース部材
１１０ｂ  第２ケース部材
１１２ａ  底面
１１２ｂ  上面
１１４ａ  第１側面
１１４ｂ  第２側面
１１４ｃ  第３側面
１１４ｄ  第４側面
１１６  スライド部
１１６ａ  第１スライド部
１１６ｂ  第２スライド部
１１６ｃ  第３スライド部
１１６ｄ  第４スライド部
１２０  回路基板
１２２  ホルダ
１２４  配線
２００  コネクタ
２０２ａ  第１端子
２０２ｂ  第２端子
２０２ｃ  第３端子
２０４ａ  第１アジャスタ
２０４ｂ  第２アジャスタ
３００  筐体
３０２ａ  底面
３０２ｂ  上面
３０４ａ  第１側面
３０４ｂ  第２側面
３０４ｃ  第３側面
３０４ｄ  第４側面
３０６  溝
３０６ａ  第１溝
３０６ｂ  第２溝
３０６ｃ  第３溝
３０６ｄ  第４溝
３１０  保持体
３１２  底板
３１４ａ  第１側壁
３１４ｂ  第２側壁
３１４ｃ  第３側壁
３１６  案内路
３１６ａ  第１案内路
３１６ｂ  第２案内路
３１６ｃ  第３案内路
３１６ｄ  第４案内路
３１８  穴
３１９  シャッタ
３２０  回路基板
３２０ａ  第１領域
３２０ｂ  第２領域
３２０ｃ  第３領域
３２０ｄ  第４領域
３３０  把手
３５０  軸部材
３５２  ストッパ
４００  コネクタ
４００ａ  ベース
４０２ａ  第１端子
４０２ｂ  第２端子
４０２ｃ  第３端子
４０４ａ  第１案内部
４０４ｂ  第２案内部
４１０  可動部
４１２  第１面
４１４  第２面
４１６  穴
５５０  固定具
５５２  ストッパ
【図１】
2019134641.tif 000003
【図２】
2019134641.tif 000004
【図３】
2019134641.tif 000005
【図４】
2019134641.tif 000006
【図５】
2019134641.tif 000007
【図６】
2019134641.tif 000008
【図７】
2019134641.tif 000009
【図８】
2019134641.tif 000010
【図９】
2019134641.tif 000011
【図１０】
2019134641.tif 000012